(57)【要約】【課題】収容物品に対するアクセス性および視認性を良好にする天板付き什器を提供する。【解決手段】  床面上に配置された脚体２，２と、脚体２，２によって支持され、下方に利用者の下肢が配置される下肢空間Ｅが形成された天板４と、下肢空間Ｅに対して左右方向の一方側に位置ずれして設けられ、天板４の下面４ｂに吊支され、前側に開口３２が形成された物品収容部３１と、を備え、物品収容部３１は、左右方向に離間して配された一対の側板３８，３８と、端縁が一対の側板３８，３８に連結され、上面４２ａに物品が載置される物品載置部４２と、を有し、一対の側板３８，３８のうち下肢空間Ｅ側に配置された一方の側板３８Ａにおける開口３２側の端縁３８ｆの位置が一対の側板３８，３８のうち他方の側板３８Ｂにおける開口３２側の端縁３８ｆの位置および物品載置部４２における開口Ｅ側の端縁４２ｆの位置より後側に配置されている。【選択図】図１
2018126434.tif 000002
【特許請求の範囲】
【請求項１】
床面上に配置された脚体と、
前記脚体によって支持され、下方に利用者の下肢が配置される下肢空間が形成された天板と、
前記下肢空間に対して左右方向の一方側に位置ずれして設けられ、前記天板の下面に吊支され、前側に開口が形成された物品収容部と、
を備え、
前記物品収容部は、
前記左右方向に離間して配された一対の側板と、
両端が前記一対の側板に連結され、上面に物品が載置される物品載置部と、
を有し、
前記一対の側板のうち下肢空間側に配置された一方の前記側板における前記開口側の端縁の位置が前記一対の側板のうち他方の前記側板における前記開口側の端縁の位置および前記物品載置部における前記開口側の端縁の位置より後側に配置されていることを特徴とする天板付き什器。
【請求項２】
前記物品載置部の前記開口側の端縁は前記一方の側板から前記他方の側板に向かうにしたがって前側に向かうように形成されていることを特徴とする請求項１に記載の天板付き什器。
【請求項３】
前記物品載置部における前記開口側の端縁は平面視直線状に形成されていることを特徴とする請求項２に記載の天板付き什器。
【発明の詳細な説明】
【技術分野】
【０００１】
本発明は、天板付き什器に関し、例えばオフィスや公共施設等の執務空間において使用される天板付き什器に関するものである。
【背景技術】
【０００２】
一般に、オフィスや公共施設等の執務空間においては、執務者（利用者）に作業エリアを提供するためにデスクが配設されている。このようなデスクにおいて、天板の下面に吊り下げ式の物品収容部を設けられているものがある。
【０００３】
例えば特許文献１には、天板の位置が上下に変位可能に構成された天板昇降式デスクであって、前側に開口を有し、天板の下面に吊支された箱状部材からなる電子機器載置部（物品収容部）を備えた天板昇降式デスクが開示されている。特許文献１に記載されているように電子機器載置部を設けることによって、天板がいずれの高さに設定されている場合においても物品収容部に収容された物品（以下、収容物品とする場合がある）に対する執務者のアクセス性を良好にし、電子機器載置部に載置された電子機器などが側方に露呈せず、体裁を良好に収めることができる。
【先行技術文献】
【特許文献】
【０００４】
【特許文献１】特開２０１６−０８６９０９号公報
【発明の概要】
【発明が解決しようとする課題】
【０００５】
しかしながら、上述のように天板の下面に吊支された従来の物品収容部では、前側のみに開口が設けられているため、例えば前側の開口から横にずれた位置にいる執務者にとっては収容物品に対するアクセス性および視認性が低下してしまうという問題を有していた。
【０００６】
本発明は、上述の事情を鑑みてなされたものであり、物品収容部に収容された物品に対するアクセス性および視認性を良好にする天板付き什器を提供する。
【課題を解決するための手段】
【０００７】
上述の目的を達成するために、本発明は以下の構成を採用している。
すなわち、本発明に係る天板付き什器は、床面上に配置された脚体と、前記脚体によって支持され、下方に利用者の下肢が配置される下肢空間が形成された天板と、前記下肢空間に対して左右方向の一方側に位置ずれして設けられ、前記天板の下面に吊支され、前側に開口が形成された物品収容部と、を備え、前記物品収容部は、前記左右方向に離間して配された一対の側板と、両端が前記一対の側板に連結され、上面に物品が載置される物品載置部と、を有し、前記一対の側板のうち下肢空間側に配置された一方の前記側板における前記開口側の端縁の位置が前記一対の側板のうち他方の前記側板における前記開口側の端縁の位置および前記物品載置部における前記開口側の端縁の位置より後側に配置されていることを特徴とする。
【０００８】
上述の天板付き什器では、一対の側板のうち下肢空間側に配置された一方の側板における開口側の端縁と物品載置部における開口側の端縁によって形成される開口が天板付き什器の利用者側に向けて形成される。このため、利用者は天板付き什器の利用時の位置から移動せずに物品収容部の内部に対して円滑にアクセスすることができる。また、利用者は天板付き什器の利用時の位置から物品載置部における物品の有無や物品が何であるかを容易に視認することができる。このように、物品収容部の開口を天板付き什器の前方から利用者側に向けることで、収容物品に対するアクセス性および視認性を良好にすることができる。
【０００９】
本発明に係る天板付き什器では、前記物品載置部の前記開口側の端縁は前記一方の側板から前記他方の側板に向かうにしたがって前側に向かうように形成されていてもよい。
このような天板付き什器では、物品載置部の前側に空間が形成されるので、下肢空間を拡大し、利用者の下肢の可動範囲を広く確保することができる。
【００１０】
本発明に係る天板付き什器では、前記物品載置部における前記開口側の端縁は平面視直線状に形成されていてもよい。
このような天板付き什器では、物品載置部における開口側の端縁が平面視直線状に形成されることで、一対の側板のうち下肢空間側に配置された一方の側板の前後方向の長さと他方の側板の前後方向の長さとの差の範囲内における物品載置部を広く確保するとともに、物品載置部の製造容易性を高めることができる。
【発明の効果】
【００１１】
本発明に係る天板付き什器によれば、物品収容部に収容された物品に対するアクセス性および視認性を良好にすることができる。
【図面の簡単な説明】
【００１２】
【図１】本発明に係る天板付き什器の一実施形態である天板昇降式デスクの概略構成を示す斜視図である。
【図２】図１に示す天板昇降式デスクの物品収容部の斜視図である。
【図３】図１に示す天板昇降式デスクの使用時の状態を説明するための平面図である。
【図４】図２に示す天板昇降式デスクの物品収容部の第一変形例を示す斜視図である。
【図５】図２に示す天板昇降式デスクの物品収容部の第二変形例を説明するための図であり、天板昇降式デスクの使用時の状態を示す平面図である。
【発明を実施するための形態】
【００１３】
以下、本発明を適用した実施形態について、図面を参照して説明する。なお、以下の説明で用いる図面は模式的なものであり、長さ、幅、及び厚みの比率等は実際のものと同一とは限らず、適宜変更することができる。
【００１４】
また、以下の実施形態では、本発明の天板付き什器として、天板昇降式デスクを例に挙げて説明を行う。
なお、以下の説明においては、天板昇降式デスクにおける矩形状の天板の長辺の長さ方向を左右方向、天板の短辺の長さ方向を前後方向と記載する。
【００１５】
図１は、本発明に係る天板昇降式デスクの一実施形態の概略構成を示す斜視図であり、図２は、図１に示した天板昇降式デスクの物品収容部の概略構成を示す斜視図である。
【００１６】
図１に示すように、天板昇降式デスク（天板付き什器）１は、左右に離間して配置された一対の脚体２，２と、一対の脚体２，２に支持された平板状の天板４と、天板４の下面４ｂに吊支された物品収容部３１を有している。
【００１７】
脚体２は、床面上に配置される下部支持体８と、下部支持体８の上方に配置されて天板４の下面を支持する上部支持体９と、これら下部支持体８と上部支持体９との間を伸縮可能に連結する昇降機構ユニット５によって構成されている。一対の脚体２、２がそれぞれ昇降機構ユニット５を備えたことにより、天板４は上下に昇降可能に構成されている。
また、天板昇降式デスク１には、一対の昇降機構ユニット５，５に加えて一対の昇降機構ユニット５，５をともに制御する不図示の制御部と、昇降機構ユニット５に昇降動作信号を入力するための操作部７が設けられている。
【００１８】
上部支持体９は、天板４の前後方向に延在して配置されて、天板４の左右方向における側端部の下面を支持している。
下部支持体８は、前後に延在する板状部材によって構成されている。下部支持体８の前端部および後端部のそれぞれには不図示のアジャスターが設けられているので、下部支持体８の床面からの高さは微調整可能になっている。
【００１９】
昇降機構ユニット５は、従来公知の構成からなるものである。詳しくは、昇降機構ユニット５は、寸法が異なり、かつ互いに相対移動可能に嵌合している複数の角筒によって構成され、角筒の内部に収容された駆動機構の駆動によって上下方向に伸縮可能になっている。このような構成により、昇降機構ユニット５は下部支持体８と上部支持体９との間を伸縮可能になっている。
【００２０】
脚体２，２は、不図示の連結部材によって連結されている。連結部材は、一対の上部支持体９，９に溶接などによって取り付けられ、図示していないが複数の連結片や接続板などによって構成され、空間部を有している。空間部には、昇降機構ユニット５の制御部が設けられている。昇降機構ユニット５の制御部は、一対の脚体２，２のそれぞれに設けられた昇降機構ユニット５、５の昇降動作をともに制御するものであり、不図示の電源ケーブルに接続されるとともに電力が供給されることにより、作動する。
【００２１】
天板４は、矩形の板状部材からなる。前述のように天板４は脚体２，２に支持され、天板４の下方には利用者Ｕの下肢が配置される下肢空間Ｅが形成されている（図３参照）。天板４の後側の左右両側部には、天板４の上下面間を貫通する配線挿通孔２７が穿設されている。配線挿通孔２７は、例えば図１に二点鎖線で示すように天板４の上に置かれたディスプレイ２８の接続配線ケーブル２９を天板４の下方に案内するためのものである。
【００２２】
天板４の前端縁部の下面４ｂ側には、操作部７が設けられている。操作部７は、昇降機構ユニット５に対して昇降動作信号を入力するための操作ボタンを有したもので、天板４の下面に不図示の取り付け用部材を介して取り付けられている。操作部７は、不図示の電源ケーブルを介して昇降機構ユニット５の制御部に接続されるとともに電力が供給されることにより、作動する。
【００２３】
図１および図２に示すように、物品収容部３１は、左右方向に離間して配された一対の側板３８，３８と、左右の端縁（両端）４２ｄ，４２ｄが一対の側板３８，３８に連結され、上面４２ａに物品が載置される物品載置部４２と、を一体的に有している。具体的には、物品収容部３１は、一対の側板３８，３８と、物品載置部４２を構成する連結部３７と、一対の側板３８，３８のそれぞれの上側の端縁３８ｃ，３８ｃ同士を連結し、天板４の下面４ｂに当接可能な吊支部４０と、を一体的に有する箱状部材４５を備えている。箱状部材４５を備えた物品収容部３１の前側には、開口３２が形成されている。
【００２４】
一対の側板３８，３８のそれぞれの後側には、天板４の上に載置されたディスプレイ２８の接続ケーブル２９を、物品収容部３１の内部に載置したＰＣ本体と接続するための配線挿通用孔として使用するための切欠３９，３９が形成されている。
【００２５】
物品収容部３１の軸線Ｊ３１は、天板４の短辺に平行している。また、一対の側板３８，３８のうち下肢空間Ｅ側（図３参照）に配置された一方の側板３８Ａの前後方向の長さは、一対の側板３８，３８のうち下肢空間Ｅ側とは反対側に配置された他方の側板３８Ｂの前後方向の長さより短くなっている。このような配置構成により、側板３８Ａにおける開口３２側の端縁３８ｆは、側板３８Ｂにおける開口３２側の端縁３８ｆおよび物品載置部４２における開口３２側の端縁４２ｆより後側に配置されている。
【００２６】
物品載置部４２の開口３２側の端縁４２ｆが平面視直線状に形成されている。
物品収容部３１の開口３２は、上下方向を中心として、軸線Ｊ３１から、側板３８Ａの前後方向の長さと側板３８Ｂの前後方向の長さとの差Ｌに応じた角度θで下肢空間Ｅ側に回転した軸線Ｊ３２の方向に開口している。一方、箱状部材４５の後側には、軸線Ｊ３１に開口する開口３３が形成されている。
【００２７】
後述するように、利用者Ｕの物品収容部３１に収容された電子機器、書籍や飲料などの物品Ａに対するアクセス性および視認性を良好にするとともに、使用者Ｕが上下方向を中心として回転移動した際などに下肢空間Ｅ（すなわち、下肢ＵＬの可動範囲）をより広く確保する（図３参照）観点から、側板３８Ａの前後方向の長さと側板３８Ｂの前後方向の長さとの差Ｌは、１００ｍｍ以上であることが好ましく、２００ｍｍ以上であることが好ましい。ただし、側板３８Ａの前後方向の長さと側板３８Ｂの前後方向の長さとの差Ｌを大きくするほど物品載置部４２の広さが減少するので、差Ｌは物品載置部４２の広さを良好に確保可能な範囲内で、前述の観点をふまえて適切に設定されることが好ましい。
【００２８】
物品収容部３１は、一対の側板３８，３８と、物品載置部４２に加え、一対の側板３８，３８および連結部３７においてそれぞれの開口３３側の端縁３８ｅ，３８ｅ，３７ｅ同士を連結する連結部４１と、を備えている。
【００２９】
一対の側板３８，３８の端縁３８ｅ，３８ｅには、互いに近づく方向に向けて突出した突出部４８が設けられている。突出部４８には上下方向に間隔をあけて複数の貫通孔４３が形成されている。
連結部４１は、板状に形成されている。連結部４１には、一対の側板３８，３８の端縁３８ｅ，３８ｅと連結部４１の左右の端縁４１ｇ，４１ｇとをそれぞれ揃えて突出部４８の後側から連結部４１を当接させたときに貫通孔４３と対応する位置に、不図示の貫通孔が形成されている。前述のように突出部４８の後側から連結部４１を当接させ、複数の貫通孔４３と連結部４１に形成された貫通孔とに不図示のビスを挿通させ、ビス止めすることで、箱状部材４５の開口３３が連結部４１によって閉じられている。
【００３０】
吊支部４０には、複数の貫通孔４４が形成されている。図示していないが、天板４の下面４ｂにおいて物品収容部３１が設置される部分に、複数の貫通孔４４の相対位置に対応する位置で凹状のネジ穴が形成されている。天板４の下面４ｂに吊支部４０を当接させ、複数の貫通孔４３に不図示のネジを挿通させ、ネジを天板４に形成されたネジ穴に埋め込むことで、物品収容部３１が天板４の下面４ｂに吊支されている。
【００３１】
以上説明したように、本実施形態の天板昇降式デスク１によれば、図３に示すように、物品収容部３１の一対の側板３８，３８のうち、下肢空間Ｅ側に配置された側板３８Ａにおける開口３２側の端縁３８ｆは、他方の側板３８Ｂにおける開口３２側の端縁３８ｆおよび物品載置部４２における開口３２側の端縁４２ｆより後側に配置されている。このため、物品収容部３１の前側の開口３２を、上下方向を中心として、軸線Ｊ３１から、側板３８Ａの前後方向の長さと側板３８Ｂの前後方向の長さとの差Ｌに応じた角度θで下肢空間Ｅ側に回転した軸線Ｊ３２の方向に向けることができる。すなわち、一対の側板３８，３８のそれぞれの端縁３８ｆ，３８ｆおよび物品載置部４２の端縁４２ｆによって形成される開口３２を物品収容部３１の軸線Ｊ３１よりも下肢空間Ｅ側に向けて形成することが可能である。このように開口３２を下肢空間Ｅ側に向けて形成することで、利用者Ｕは物品収容部３１の軸線Ｊ３１から左右にずれた位置にいる場合であっても、従来のように軸線Ｊ３１上の位置まで回り込まずに、または移動せずに元の位置から、図３において二点鎖線で例示したように物品収容部３１の内部に手を伸ばして物品Ａに接触することができるとともに、元の位置から物品収容部３１の内部を容易に見ることができる。したがって、利用者Ｕに対し、物品収容部３１に収容された物品Ａへのアクセス性および物品Ａの視認性を良好にすることができる。
また、開口３２が上述のように下肢空間Ｅ側に向けて形成されていることで、利用者Ｕが上下方向を中心として回転移動した際などに下肢ＵＬが物品収容部３１に接触してしまうことを防止し、下肢空間Ｅを充分に確保し、利用者Ｕに快適な執務作業環境を提供することができる。
【００３２】
また、本実施形態の天板昇降式デスク１によれば、物品載置部４２の端縁４２ｆは側板３８Ａから側板３８Ｂに向かうにしたがって前側に向かうように形成されていることで、物品載置部４２の前側に空間を確実に形成し、下肢空間Ｅ、すなわち利用者Ｕの下肢ＵＬの可動範囲を確実かつ良好に広く確保することができる。
【００３３】
また、本実施形態の天板昇降式デスク１によれば、物品載置部４２の端縁４２ｆが平面視直線状に形成されていることで、側板３８Ａの前後方向の長さと側板３８Ｂの前後方向の長さとの差Ｌの範囲内における物品載置部４２を広く確保するとともに、連結部３７を簡易に製造することができる。
【００３４】
以上、本発明の好ましい形態について詳述したが、本発明は上述の実施形態に限定されるものではなく、特許請求の範囲内に記載された本発明の要旨の範囲内において、種々の変形・変更が可能である。
【００３５】
例えば、本発明の天板付き什器は天板昇降式デスク１に限定されるものではなく、昇降式ではないデスクや、デスク以外の他の什器に適用することも可能である。
【００３６】
また、物品収容部３１は、側板３８Ａの端縁３８ｆが側板３８Ｂの端縁３８ｆおよび物品載置部４２の端縁４２ｆより後側に配置されていれば、上述の実施形態で説明した形状以外の形状を有していても構わない。例えば、側板３８Ａの端縁３８ｆおよび側板３８Ｂの端縁３８ｆの相対的な位置は図２に例示したようになっており、かつ下肢空間Ｅ側の物品載置部４２が前側に延出していても構わない。このような形状を有する物品収容部３１によっても、開口３２を物品収容部３１の軸線Ｊ３１よりも下肢空間Ｅ側に向けて形成し、物品収容部３１に収容された物品Ａへのアクセス性および物品Ａの視認性を良好にすることができる。
【００３７】
また、物品収容部３１において物品載置部４２の端縁４２ｆは、必ずしも平面視直線状に形成されていなくてもよく、図４に例示したように平面視曲線状に形成されていてもよい。
【００３８】
また、図５に例示したように、物品収容部３１の軸線Ｊ３１に沿った側板３８Ａの長さと側板３８Ｂの長さとは略等しくなっており、かつ開口３２が向いている軸線Ｊ３２が物品収容部３１の軸線Ｊ３１と重なっていてもよい。このような構成によれば、図２や図４に例示した物品収容部３１に比べて物品載置部４２をさらに広く確保するとともに、連結部３７を簡易に製造することができる。
【００３９】
また、物品収容部３１において、連結部４１は省略可能である。
【符号の説明】
【００４０】
１…天板昇降式デスク（天板付き什器）、２…脚体、４…天板、４ｂ…下面、３１…物品収容部、３８…側板、３８ｆ，４２ｆ…端縁、４２…物品載置部
【図１】
2018126434.tif 000003
【図２】
2018126434.tif 000004
【図３】
2018126434.tif 000005
【図４】
2018126434.tif 000006
【図５】
2018126434.tif 000007